(57)【要約】  ブラックマトリクスを加工することなく、パターン位相差フィルムなどの構造体の取り付け位置の基準を示す標識を基板上に設けることができる表示パネル及び表示装置の提供。  マトリクス状に配置された複数の表示素子、周縁部に複数の信号入力部を有し、信号入力部と表示素子とを接続する配線が形成された第１透光性基板、及び表示素子間を遮光すると共に、複数の表示素子よりなる表示領域の外側を遮光する矩形状の遮光層を備えた第２透光性基板を含む表示パネルにおいて、表示素子に対する位置を示す標識を、第１透光性基板の周縁の少なくとも２箇所に設けてあり、標識は、遮光層の周縁の何れかの辺と交差する交差部を有する。
2015008666.tif 000002
【特許請求の範囲】
【請求項１】
マトリクス状に配置された複数の表示素子、周縁部に複数の信号入力部を有し、該信号入力部と前記表示素子とを接続する配線が形成された第１透光性基板、及び表示素子間を遮光すると共に、前記複数の表示素子よりなる表示領域の外側を遮光する矩形状の遮光層を備えた第２透光性基板を含む表示パネルにおいて、
前記表示素子に対する位置を示す標識を、前記第１透光性基板の周縁の少なくとも２箇所に設けてあり、
前記標識は、前記遮光層の周縁の何れかの辺と交差する交差部を有することを特徴とする表示パネル。
【請求項２】
前記交差部は、前記遮光層の周縁の何れかの辺と略９０度の角度で交差することを特徴とする請求項１に記載の表示パネル。
【請求項３】
前記標識を、前記第１透光性基板及び第２透光性基板を貼り合わせるためのシール部材の外側に設けてあることを特徴とする請求項１又は請求項２に記載の表示パネル。
【請求項４】
前記標識は、前記配線と同一材料により形成されていることを特徴とする請求項１から請求項３の何れか１つに記載の表示パネル。
【請求項５】
前記標識は、前記信号入力部と重ならない領域に設けられていることを特徴とする請求項１から請求項４の何れか１つに記載の表示パネル。
【請求項６】
前記第２透光性基板上に取り付けられ、前記表示素子の配列に応じて取り付け位置が規制される構造体を更に備えることを特徴とする請求項１から請求項５の何れか１つに記載の表示パネル。
【請求項７】
前記構造体は、前記第１及び第２透光性基板を透過した光の偏光状態を異なる２種類の偏光状態に変換するパターン位相差フィルムであることを特徴とする請求項６に記載の表示パネル。
【請求項８】
請求項１から請求項７の何れか１つに記載の表示パネルと、
該表示パネルが備える複数の表示素子を駆動する駆動部と
を備えることを特徴とする表示装置。
【発明の詳細な説明】
【技術分野】
【０００１】
本発明は、パターン位相差フィルムなどの構造体が取り付けられる表示パネル及び表示装置に関する。
【背景技術】
【０００２】
立体映像表示方式の１つとして、パッシブ方式（偏光眼鏡方式）による表示方式が知られている。この表示方式では、液晶パネルからの出射光を異なる２種の偏光状態とし、一方の偏光のみを透過する偏光板を右眼用に、他方の偏光のみを透過する偏光板を左眼用にして構成された偏光眼鏡を通じて表示画面を観察させることで、立体感のある画像として認識させるものである。【０００３】
液晶パネルからの出射光を異なる２種の偏光状態にするために、パターン位相差フィルムが利用される（例えば、特許文献１を参照）。パターン位相差フィルムは、位相差が異なる領域を規則的に配置したパターン位相差層を含み、例えば、直線偏光を透過させることによって、夫々の領域を透過する直線偏光を偏光状態が異なる２種類の円偏光（又は楕円偏光）に変換するように構成されている。【０００４】
このようなパターン位相差フィルムを液晶パネルに貼り合わせることにより、液晶パネルを透過する直線偏光を偏光状態の異なる２種類の円偏光（又は楕円偏光）に変換することができる。したがって、１つの画面内で右眼用の映像及び左眼用の映像をそれぞれ表示し、右眼用の映像を一方の偏光状態に変換し、左眼用の映像を他方の偏光状態に変換することで、上述の偏光眼鏡を通じて観察したときに立体感を有する映像として認識されることになる。
【先行技術文献】
【特許文献】
【０００５】
【特許文献１】特許第４５０８２８０号公報
【特許文献２】特開２００７−４１１１号公報
【発明の概要】
【発明が解決しようとする課題】
【０００６】
パッシブ方式の立体映像表示では、パターン位相差フィルムが有する２種類の位相差領域のうち一方を、右眼用映像を表示する表示領域内の画素群に対応させ、他方を、左眼用映像を表示する表示領域内の画素群に対応させる必要があるため、液晶パネルに対するパターン位相差フィルムを貼り合わせる際の位置精度が求められていた。【０００７】
従来、液晶パネルに含まれる遮光層としてのブラックマトリクスを加工して、貼り合わせ位置の基準を示す櫛状のアライメントマークを形成し、このようなアライメントマークを基準として偏光板を整列させる技術が提案されていた（例えば、特許文献２を参照）。【０００８】
しかしながら、特許文献２に記載のアライメントマークを形成するためには、カラーフィルタ基板上のブラックマトリクスを削り出す必要があるため、アライメントマーク部分に隙間が生じる可能性があり、この隙間からバックライトの光が漏れる虞があるという懸念が生じていた。【０００９】
本発明は、斯かる事情に鑑みてなされたものであり、ブラックマトリクスを加工することなく、パターン位相差フィルムなどの構造体の取り付け位置の基準を示す標識を基板上に設けることができる表示パネル及び表示装置を提供することを目的とする。
【課題を解決するための手段】
【００１０】
本願の表示パネルは、マトリクス状に配置された複数の表示素子、周縁部に複数の信号入力部を有し、該信号入力部と前記表示素子とを接続する配線が形成された第１透光性基板、及び表示素子間を遮光すると共に、前記複数の表示素子よりなる表示領域の外側を遮光する矩形状の遮光層を備えた第２透光性基板を含む表示パネルにおいて、前記表示素子に対する位置を示す標識を、前記第１透光性基板の周縁の少なくとも２箇所に設けてあり、前記標識は、前記遮光層の周縁の何れかの辺と交差する交差部を有することを特徴とする。【００１１】
本願の表示パネルは、前記交差部は、前記遮光層の周縁の何れかの辺と略９０度の角度で交差することを特徴とする。【００１２】
本願の表示パネルは、前記標識を、前記第１透光性基板及び第２透光性基板を貼り合わせるためのシール部材の外側に設けてあることを特徴とする。【００１３】
本願の表示パネルは、前記標識は、前記配線と同一材料により形成されていることを特徴とする。【００１４】
本願の表示パネルは、前記標識は、前記信号入力部と重ならない領域に設けられていることを特徴とする。【００１５】
本願の表示パネルは、前記第２透光性基板上に取り付けられ、前記表示素子の配列に応じて取り付け位置が規制される構造体を更に備えることを特徴とする。【００１６】
本願の表示パネルは、前記構造体は、前記第１及び第２透光性基板を透過した光の偏光状態を異なる２種類の偏光状態に変換するパターン位相差フィルムであることを特徴とする。【００１７】
本願の表示装置は、前述の表示パネルと、該表示パネルが備える複数の表示素子を駆動する駆動部とを備えることを特徴とする。
【発明の効果】
【００１８】
本願によれば、新たな工程を加えることなくパターン位相差フィルムなどの構造体を取り付けるための位置の基準を示す標識（アライメントマーク）を、ＴＦＴ配線等が形成されたＴＦＴ側ガラス基板上に形成することができる。このアライメントマークを、ブラックマトリクスにより形成した場合には、アライメントマークの形状によっては静電気放電（ＥＳＤ）の原因となり得るが、本願では、例えば、ＴＦＴ配線を形成する工程と同一工程にて形成することができるため、静電気放電の発生を抑えることができる。
【図面の簡単な説明】
【００１９】
【図１】本実施の形態に係る液晶表示パネルの要部構成を示す平面図である。
【図２】本実施の形態に係る液晶表示パネルの要部構成を示す側面図である。
【図３】ＦＰＲフィルムの一例を示す平面図である。
【図４】ＦＰＲフィルムの一例を示す縦断面図である。
【図５】アライメントマークの形成位置の一例を示す模式図である。
【図６】アライメントマークの近傍領域の部分拡大図である。
【図７】図６に示すＡ−Ａ線における断面図である。
【図８】アライメントマークの他の形状を示す模式図である。
【図９】配線パターンにおける配線の一部を利用したアライメントマークの一例を示す模式図である。
【図１０】本実施の形態に係る液晶表示装置の駆動系の構成を示す模式図である。
【発明を実施するための形態】
【００２０】
以下、本発明の適用例の１つとして、パターン位相差フィルムを備えた液晶表示パネルについて図面を用いて具体的に説明する。
図１は本実施の形態に係る液晶表示パネルの要部構成を示す平面図であり、図２はその側面図である。本実施の形態に係る液晶表示パネル１は、ＴＦＴ側ガラス基板１１０（TFT : Thin-Film transistor）、液晶層１２０、及びＣＦ側ガラス基板１３０（CF : Color Filter）を含む。
【００２１】
ＴＦＴ側ガラス基板１１０は、透光性を有する矩形状の基板であり、ＣＦ側ガラス基板１３０より少しだけ広い面積を有している。ＴＦＴ側ガラス基板１１０の一面には、例えば、マトリクス状に配置される複数の表示画素のそれぞれに対応した画素電極及びＴＦＴ（不図示）が形成される。また、ＴＦＴ側ガラス基板１１０の周縁部には、各表示画素への走査信号（又はデータ信号）が入力される信号入力部６０，６０，…が設けられ、信号入力部６０，６０，…と各表示画素とを接続する信号配線がＴＦＴ側ガラス基板１１０の一面に形成される。
【００２２】
ＣＦ側ガラス基板１３０は、透光性を有する矩形状の基板であり、ＴＦＴ側ガラス基板１１０に対向して設けられる。ＣＦ側ガラス基板１３０におけるＴＦＴ側ガラス基板との対向面には、図に示していない対向電極が設けられる他、各表示画素に対応して表示領域を格子状のパターンで区画するブラックマトリクス１５１と、表示領域の周囲の領域を遮光する額縁部１５２とからなる遮光層１５０が設けられる。本実施の形態では、図２に示すように、ＣＦ側ガラス基板１３０の縁部近傍にまで遮光層１５０（額縁部１５２）を設けていることを特徴の１つとしている。なお、額縁部１５２は矩形状をなし、額縁部１５２のエッジは、表示領域内に並ぶ表示画素の横方向又は縦方向のラインと平行に形成されているものとする。
【００２３】
ＴＦＴ側ガラス基板１１０及びＣＦ側ガラス基板１３０は、両基板の間に空隙を設けた状態でシール材１８０により貼り合わされており、この空隙に液晶物質を封入することで液晶層１２０を形成している。
【００２４】
このような液晶表示パネル１に対し、パターン位相差フィルム、偏光板、タッチパネルなどの、表示画素の配列に応じてその取り付け位置が規制される構造体を取り付けることができる。本実施の形態では、図２に示す如く、ＣＦ側ガラス基板１３０の表面にパターン位相差フィルム２００（以下、ＦＰＲフィルム２００，FRP : Film-type Patterned Retarder）を貼り合わせた場合を例に挙げ、その構成について説明を行う。
【００２５】
図３はＦＰＲフィルム２００の一例を示す平面図であり、図４はその縦断面図である。ＦＰＲフィルム２００は、例えば、面内遅相軸及び面内位相差の少なくとも一方が互いに異なる第１領域２０１と第２領域２０２とを備え、これらの第１領域２０１及び第２領域２０２を交互に配置したストライプ状のパターンを有している。第１領域２０１及び第２領域２０２は、それぞれ横方向（図に示すＸ軸方向）に対して平行に延在する帯状の形状を有している。そして、ＦＰＲフィルム２００は、第１領域２０１を透過する直線偏光を例えば右円偏光に変換し、第２領域２０２を透過する直線偏光を例えば左円偏光に変換することで、異なる２種類の偏光状態を作り出している。
【００２６】
ＦＰＲフィルム２００におけるストライプ状のパターンは、液晶表示パネル１が備える表示画素の位置に応じて設定される。また、第１領域２０１の縦方向（図３に示すＹ軸方向）の幅及び第２領域２０１の縦方向の幅は、液晶表示パネル１の表示画素の寸法に合わせて設定することができる。液晶表示装置において立体映像表示を行う場合、後述するように、右眼で観察されるための右眼用映像及び左眼で観察されるための左眼用映像を液晶表示パネル１の表示領域内に表示する。これらの右眼用映像及び左眼用映像のうち一方をＦＰＲフィルム２００の第１領域２０１に対応させ、他方をＦＰＲフィルム２００の第２領域２０２に対応させることにより、右眼用映像は右円偏光（又は左円偏光）の光学特性を有し、左眼用映像は左円偏光（又は右円偏光）の光学特性を有するようになる。この結果、一方の偏光のみを透過する偏光板を右眼用に、他方の偏光のみを透過する偏光板を左眼用にして構成された偏光眼鏡を通すことにより、観察者には立体映像として認識されるようになる。
【００２７】
このようなＦＰＲフィルム２００を液晶表示パネル１に貼り合わせる場合、ＣＦ側ガラス基板１３０上のブラックマトリクス１５１により区画される表示画素の位置に合わせて貼り合わせる必要がある。このため、本来であれば、ＣＦ側ガラス基板１３０に貼り合わせの位置基準を示すアライメントマークを設け、このアライメントマークを参照してＦＰＲフィルム２００を貼り合わせることが好ましい。ＴＦＴ側ガラス基板１１０に設けた基準位置を利用する場合、ＴＦＴ側ガラス基板１１０とＣＦ側ガラス基板１３０との貼り合わせ誤差の影響を受けて、ＦＰＲフィルム２００の貼り合わせ位置がずれる場合があるからである。しかしながら、本実施の形態では、ＣＦ側ガラス基板１３０の縁部近傍にまで遮光層１５０（額縁部１５２）を設けているため、ＣＦ側ガラス基板１３０にアライメントマークを設ける領域を十分に確保することができず、ＣＦ側ガラス基板１３０上に設けられるブラックマトリクス１５１を加工してアライメントマークを形成することは困難である。
【００２８】
このような課題を解決するために、本願では、ＴＦＴ側ガラス基板１１０の周縁にアライメントマークを設けている。
図５はアライメントマークの形成位置の一例を示す模式図である。前述したように、液晶表示パネル１には、表示画素によって構成される表示領域が設けられ、表示領域の周囲にはブラックマトリクス１５１と同一の工程で形成される額縁部１５２が設けられている。額縁部１５２の周縁には、ＣＦ側ガラス基板１３０とＴＦＴ側ガラス基板１１０との間に液晶物質を封止するためのシール材１８０が描画される。また、ＴＦＴ側ガラス基板１１０における一面側の周縁部には、各表示画素への走査信号（又はデータ信号）が入力される信号入力部６０が複数設けられている。
【００２９】
アライメントマーク５０は、ＴＦＴ側ガラス基板１１０の周縁の少なくとも２箇所に形成される。図５に示した例では、ＴＦＴ側ガラス基板１１０の上辺に沿って並ぶ信号入力部６０，６０，…の近傍に２つのアライメントマーク５０，５０を形成した構成を示している。
【００３０】
ＴＦＴ側ガラス基板１１０には、信号入力部６０の他に、信号入力部６０と各表示画素（画素電極及びＴＦＴ）とを接続する配線パターン６１が形成されるが、アライメントマーク５０，５０は、このような信号入力部６０及び配線パターン６１が形成されていない領域に形成されることが好ましい。ＴＦＴ側ガラス基板１１０の表面に形成される信号入力部６０又は配線パターン６１とアライメントマーク５０，５０とが重なった場合、外部からアライメントマーク５０，５０を認識することが困難となるためである。
【００３１】
図６はアライメントマーク５０の近傍領域の部分拡大図であり、図７は図６に示すＡ−Ａ線における断面図である。アライメントマーク５０は、長さ０．２５ｍｍ、線幅０．０４ｍｍ程度の線形状のマークである。アライメントマーク５０は、平面視において、額縁部１５２のエッジに対して略９０度の角度で交差し、アライメントマーク５０の一部（例えば、下側０．０５ｍｍ程度）が額縁部１５２と重なっていることが好ましい。このようなアライメントマーク５０は、例えば、ＴＦＴ側ガラス基板１１０に配線パターン６１を形成する工程と同一の工程にて、配線パターン６１と同一材料により、ＴＦＴ側ガラス基板１１０上に形成することができる。
【００３２】
アライメントマーク５０を読取るためのカメラ視野は１ｍｍ×１ｍｍ程度の領域であるので、アライメントマーク５０の中心から０．５ｍｍ×０．５ｍｍ程度の領域内に、アライメントマーク５０の読取り誤りを発生させるような類似のパターンが存在しないことが好ましい。
【００３３】
このようなアライメントマーク５０を基準として、ＣＦ側ガラス基板１３０にＦＰＲフィルム２００を貼り合わせることができる。カメラにより、アライメントマーク５０と額縁部１５２のエッジとの交差部分を読み取り、額縁部１５２のエッジを参照することにより、ＦＰＲフィルム２００の上下のアライメントをとることができる。また、アライメントマーク５０の左右のエッジを参照することにより、ＦＰＲフィルム２００の左右のアライメントをとることができる。すなわち、アライメントマーク５０の左右のエッジにより左右方向の位置合わせを行い、額縁部１５２のエッジとＦＰＲフィルム２００の第１領域２０１及び第２領域２０２（例えば、第１領域２０１及び第２領域２０２との境界線）とが平行となるように位置決めして、ＣＦ側ガラス基板１３０及びＦＰＲフィルム２００を貼り合わせることにより、右眼用映像及び左眼用映像を表示する各ラインの画素群の位置にＦＰＲフィルム２００の各位相領域を対応させることができる。
【００３４】
なお、本実施の形態では、アライメントマーク５０の形状を線形状としたが、線形状に限定されるものではない。図８はアライメントマーク５０の他の形状を示す模式図である。図８に示すアライメントマーク５０は十字形状のマークである。アライメントマーク５０は、額縁部１５２のエッジに対して略９０度の角度で交差する交差部５１と、この交差部５１に対して直交する（すなわち、額縁部１５２のエッジと平行な）平行部５２とを有する。
【００３５】
このようなアライメントマーク５０を基準として、ＣＦ側ガラス基板１３０にＦＰＲフィルム２００を貼り合わせる場合、カメラにより、アライメントマーク５０における交差部分を読み取る。そして、平行部５２の上下方向のエッジを参照することにより、ＦＰＲフィルム２００の上下のアライメントをとることができ、交差部５１の左右方向のエッジを参照することにより、ＦＰＲフィルム２００の左右のアライメントをとることができる。
【００３６】
また、図６ではアライメントマーク５０を線形状とし、図８ではアライメントマーク５０を十字形状としたが、ＴＦＴ側ガラス基板１１０上に形成したメタルの一部をくり抜いて形成したメタル抜き形状としてもよいことは勿論のことである。
【００３７】
更に、本実施の形態では、アライメントマーク５０を独立したマークとして形成する構成としたが、配線パターン６１（図５を参照）における配線の一部を利用してマークを形成する構成としてもよい。
【００３８】
図９は配線パターンにおける配線の一部を利用したアライメントマークの一例を示す模式図である。前述したように、信号入力部６０と額縁部１５２との間には、複数の配線からなる配線パターン６１が設けられているが、この配線パターン６１における最も外側の配線６１ａは、走査信号及びデータ信号を伝送するための配線ではない。このような配線６１ａを延長させて、ＦＰＲフィルム２００等の構造物を貼り合わせるための位置基準を示すアライメントマーク６１ｂを設ける構成としてもよい。
【００３９】
図９に示すアライメントマーク６１ｂは、配線パターン６１における最も外側の配線６１ａの中途から、額縁部１５２のエッジに対して略９０度の角度で交差する方向に配線を延長して形成した線形状のマークである。このようなアライメントマーク６１ｂは、例えば、配線パターン６１を形成する工程と同一の工程にて、配線パターン６１と同一材料により、ＴＦＴ側ガラス基板１１０上に形成することができる。アライメントマーク６１ｂを読取るためのカメラ視野は１ｍｍ×１ｍｍ程度の領域であるので、アライメントマーク６１ｂの中心から０．５ｍｍ×０．５ｍｍ程度の領域内に、アライメントマーク６１ｂの読取り誤りを発生させるような類似のパターンが存在しないことが好ましい。
【００４０】
なお、図９に示した例では、配線６１ａの中途から形成したアライメントマーク６１ｂを示したが、配線６１ａの一端から、額縁部１５２のエッジに対して略９０度の角度で交差する方向に延長したマークとしてもよい。
【００４１】
次に、本実施の形態に係る液晶表示パネルを用いた液晶表示装置の構成について説明する。図１０は本実施の形態に係る液晶表示装置の駆動系の構成を示す模式図である。本実施の形態に係る表示装置は、例えば、液晶表示パネル１、ゲートドライバ２、ソースドライバ３、電源回路４、画像メモリ５、制御回路６等を備えた液晶表示装置である。
【００４２】
液晶表示パネル１は、マトリクス状に配置された複数の表示素子１０，１０，１０，…を備える。隣接する表示素子間はブラックマトリクス１５１により遮光されており、各表示素子１０を区画することによって、それぞれを表示画素として機能させる。
【００４３】
液晶表示パネル１の各表示素子１０は、ＴＦＴ側ガラス基板１１０に設けられる画素電極（不図示）、ＣＦ側ガラス基板１３０に設けられる対向電極（不図示）、及び画素電極と対向電極との間に封入された液晶層１２０を含む。制御回路６は、ゲートドライバ２及びソースドライバ３を通じて、各表示素子１０に印加する電圧の大きさを制御することにより、各表示素子１０における液晶層１２０の光透過率を調整し、各表示画素での表示輝度を決定する。
【００４４】
制御回路６は、各表示素子１０における液晶層１２０に印加する電圧を制御するために、外部から入力される同期信号に基づき、メモリ制御信号、電源制御信号、ソースドライバ制御信号、及びゲートドライバ制御信号を生成し、生成した各制御信号を、それぞれ画像メモリ５、電源回路４、ソースドライバ３、ゲートドライバ２へ出力する。
【００４５】
画像メモリ５は、入力される表示データを一時的に記憶し、制御回路６から入力されたメモリ制御信号に同期して液晶表示パネル１に表示すべき画素データをソースドライバ３へ出力する。なお、画像メモリ５は、制御回路６に内蔵され、制御回路６の内部処理を経てソースドライバ３へ画像データを出力する構成であってもよい。
【００４６】
ここで、入力される同期信号及び表示データは、携帯電話機、携帯型ゲーム機等に搭載されたＣＰＵ又はＬＣＤコントロールＩＣから出力されるＬＣＤ信号、パーソナルコンピュータ（ＰＣ）のＣＲＴ出力信号をＡ／Ｄ変換した信号、ＰＣ等に搭載されたビデオＲＡＭを制御回路６が直接的に制御して取得した信号等に含まれるものである。
【００４７】
電源回路４は、制御回路６から入力された電源制御信号に同期して、ゲートドライバ２用の駆動電圧、及びソースドライバ３用の駆動電圧を生成し、それぞれゲートドライバ２及びソースドライバ３へ出力する。
【００４８】
ゲートドライバ２は、制御回路６から入力されたゲートドライバ制御信号に同期して、表示素子に設けられたスイッチング素子をオン／オフ制御する制御電圧を順次出力し、走査線であるゲート配線に印加する。
【００４９】
ソースドライバ３は、制御回路６から入力されたソースドライバ制御信号に同期して、画像メモリ５から出力された画素データを取り込み、画素データに応じた信号電圧を順次出力する。ソースドライバ３が出力する信号電圧は、対応するスイッチング素子がオンである場合に、信号線であるソース配線を介して、表示素子１０に供給される。
【００５０】
液晶表示装置にて立体映像表示を行う場合、液晶表示パネル１の表示領域内で右眼用映像及び左眼用映像を１ラインずつ交互に表示する。例えば、液晶表示パネル１がフルＨＤ（すなわち、１９２０ドット×１０８０ライン）の解像度を有する場合、１９２０ドット×５４０ライン分の右眼用映像及び左眼用映像をそれぞれ用意し、右眼用映像及び左眼用映像を１ラインずつ交互に表示する。
【００５１】
以上のように、本実施の形態では、新たな工程を加えることなくＦＰＲフィルム２０などの構造体を取り付けるための位置の基準を示す標識（アライメントマーク５０）を、ＴＦＴ配線等が形成されたＴＦＴ側ガラス基板１１０上に形成することができる。アライメントマーク５０を、ブラックマトリクス１５１により形成した場合、アライメントマーク５０の形状によっては静電気放電（ＥＳＤ）の原因となり得るが、本願では、例えば、ブラックマトリクス１５１を加工することなくアライメントマーク５０を形成することができるため、静電気放電の発生を抑えることができる。
【００５２】
なお、本実施の形態では、ＴＦＴ側ガラス基板１１０の上辺に沿って並ぶ信号入力部６０，６０，…の近傍に２つのアライメントマーク５０，５０を形成する構成としたが、アライメントマーク５０，５０を形成する位置はこれらの位置に限定されるものではない。例えば、前述した上限側の２つのアライメントマークに加え、ＴＦＴ側ガラス基板１１０の下辺に沿ってアライメントマーク５０，５０を形成する構成としてもよい。例えば、ＴＦＴ側ガラス基板１１０の上下方向に対して対称となる位置に、アライメントマーク５０，５０を追加した場合、上辺（又は下辺）の２箇所のアライメントマーク５０，５０について読取り不良が発生したとしても、液晶表示パネル１の上下を反転させることにより他方の２箇所のアライメントマーク５０，５０の読取りを行うことが可能となる。
【００５３】
また、ＴＦＴ側ガラス基板１１０の左辺の２箇所又は右辺の２箇所に形成したアライメントマーク５０，５０を含むものであってもよい。左辺又は右辺の２箇所にアライメントマーク５０，５０を追加することにより、左右方向だけでなく、上下方向についてもアライメントマーク５０，５０を参照して、取り付け位置を定めることができる。
【００５４】
また、本実施の形態では、液晶表示パネル１に対してＦＰＲフィルム２００を取り付ける構成について説明を行ったが、ＰＤパネル、有機ＥＬパネル等の表示パネルに対して、パターン位相差フィルム、偏光板、タッチパネルなどの、表示画素の配列に応じてその取り付け位置が規制される構造体を取り付ける場合に、本願の手法を適用できることは勿論のことである。
【００５５】
今回開示された実施の形態は、全ての点で例示であって、制限的なものではないと考えられるべきである。本発明の範囲は、上述した意味ではなく、請求の範囲によって示され、請求の範囲と均等の意味及び範囲内での全ての変更が含まれることが意図される。また、各実施の形態で記載されている技術的特徴は、お互いに組み合わせることが可能である。
【符号の説明】
【００５６】
１  液晶表示パネル
５０  アライメントマーク
１１０  ＴＦＴ側ガラス基板
１２０  液晶層
１３０  ＣＦ側ガラス基板
１５０  遮光層
１５１  ブラックマトリクス
１５２  額縁部
２００  ＦＰＲフィルム
【図１】
2015008666.tif 000003
【図２】
2015008666.tif 000004
【図３】
2015008666.tif 000005
【図４】
2015008666.tif 000006
【図５】
2015008666.tif 000007
【図６】
2015008666.tif 000008
【図７】
2015008666.tif 000009
【図８】
2015008666.tif 000010
【図９】
2015008666.tif 000011
【図１０】
2015008666.tif 000012
【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
マトリクス状に配置された複数の表示素子、周縁部に複数の信号入力部を有し、該信号入力部と前記表示素子とを接続する配線が形成された第１透光性基板、及び表示素子間を遮光すると共に、前記複数の表示素子よりなる表示領域の外側を遮光する矩形状の遮光層を備えた第２透光性基板を含む表示パネルにおいて、
前記第１透光性基板及び前記第２透光性基板を貼り合わせるためのシール部材が前記遮光層の周縁に設けられており、
前記表示素子に対する位置を示す標識を、前記シール部材の外側であって、前記第１透光性基板の周縁の少なくとも２箇所に設けてあり、
前記標識は、前記遮光層の周縁の何れかの辺と交差する交差部を有する
ことを特徴とする表示パネル。
【請求項２】
前記交差部は、前記遮光層の周縁の何れかの辺と略９０度の角度で交差することを特徴とする請求項１に記載の表示パネル。
【請求項３】
前記標識は、前記交差部に対して直行する平行部を更に有する十字形状のマークであることを特徴とする請求項１又は請求項２に記載の表示パネル。
【請求項４】
前記標識は、前記配線と同一材料により形成されていることを特徴とする請求項１から請求項３の何れか１つに記載の表示パネル。
【請求項５】
前記標識は、前記信号入力部と重ならない領域に設けられていることを特徴とする請求項１から請求項４の何れか１つに記載の表示パネル。
【請求項６】
前記第２透光性基板上に取り付けられ、前記表示素子の配列に応じて取り付け位置が規制される構造体を更に備えることを特徴とする請求項１から請求項５の何れか１つに記載の表示パネル。
【請求項７】
前記構造体は、前記第１及び第２透光性基板を透過した光の偏光状態を異なる２種類の偏光状態に変換するパターン位相差フィルムであることを特徴とする請求項６に記載の表示パネル。
【請求項８】
請求項１から請求項７の何れか１つに記載の表示パネルと、
該表示パネルが備える複数の表示素子を駆動する駆動部と
を備えることを特徴とする表示装置。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
マトリクス状に配置された複数の表示素子、周縁部に複数の信号入力部を有し、該信号入力部と前記表示素子とを接続する配線が形成された第１透光性基板、及び表示素子間を遮光すると共に、前記複数の表示素子よりなる表示領域の外側を遮光する矩形状の遮光層を備えた第２透光性基板を含む表示パネルにおいて、
前記第１透光性基板及び前記第２透光性基板を貼り合わせるためのシール部材が前記遮光層に重畳された状態にて前記遮光層の周縁に設けられており、
前記表示素子に対する位置を示す標識を、前記シール部材の外側であって、前記第１透光性基板の周縁の少なくとも２箇所に設けてあり、
前記標識は、前記遮光層の周縁の何れかの辺と交差する交差部を有する
ことを特徴とする表示パネル。
【請求項２】
前記交差部は、前記遮光層の周縁の何れかの辺と略９０度の角度で交差することを特徴とする請求項１に記載の表示パネル。
【請求項３】
前記標識は、前記交差部に対して直行する平行部を更に有する十字形状のマークであることを特徴とする請求項１又は請求項２に記載の表示パネル。
【請求項４】
前記標識は、前記配線と同一材料により形成されていることを特徴とする請求項１から請求項３の何れか１つに記載の表示パネル。
【請求項５】
前記標識は、前記信号入力部と重ならない領域に設けられていることを特徴とする請求項１から請求項４の何れか１つに記載の表示パネル。
【請求項６】
前記第２透光性基板上に取り付けられ、前記表示素子の配列に応じて取り付け位置が規制される構造体を更に備えることを特徴とする請求項１から請求項５の何れか１つに記載の表示パネル。
【請求項７】
前記構造体は、前記第１及び第２透光性基板を透過した光の偏光状態を異なる２種類の偏光状態に変換するパターン位相差フィルムであることを特徴とする請求項６に記載の表示パネル。
【請求項８】
請求項１から請求項７の何れか１つに記載の表示パネルと、
該表示パネルが備える複数の表示素子を駆動する駆動部と
を備えることを特徴とする表示装置。
【国際調査報告】
2015008666.tif 000013
2015008666.tif 000014
2015008666.tif 000015
2015008666.tif 000016